(57)【要約】【課題】無線リモコン装置による電気機器の制御方法、および、その装置を提供する。【解決手段】本発明の制御方法は、以下の手順を含む。無線リモコン装置は、無線モジュール、制御モジュール、メモリユニット、接続ユニット、電源供給ユニット、および、電源入力端子を有し、無線モジュールは、リモコン信号を受信すると共に、制御信号に変換し、制御モジュールは、制御信号にしたがってコントロールする。コントローラは、無線リモコン装置の監視コントロールプログラムをダウンロードする。コントローラの画面上には操作インターフェースが表示され、操作インターフェースは、先ず、対応する無線リモコン装置を検索して、リンクを実行し、無線リモコン装置をモニタリング並びに特定して、特定電気機器モジュールを形成し、特定電気機器モジュールにより特定電気電器モジュールが接続する電気機器を監視、制御する。ユーザーはコントローラの操作インターフェースにより、特定電気機器モジュールを監視、制御する。【選択図】図１
2016529746.tif 000002
【特許請求の範囲】
【請求項１】
無線リモコン装置による電気機器の制御方法であって、
前記無線リモコン装置は、無線モジュール、制御モジュール、メモリユニット、接続ユニット、電源供給ユニット、および、電源入力端子を有し、
前記無線モジュール、前記制御モジュール、および、前記接続ユニットは電気的に接続され、前記無線モジュールと前記メモリユニットは電気的に接続され、前記無線モジュールは、リモコン信号を受信すると共に、制御信号に変換し、前記制御モジュールは、前記制御信号にしたがって、前記接続ユニットの電源供給のオン・オフ制御を行い、前記メモリユニットは、プログラムを書き込むことによって、前記無線リモコン装置中のチッププログラム機能を増加、修正、または、アップグレードさせ、前記電源供給ユニットは電気的に接続されると共に、電気エネルギーを前記無線モジュール、前記制御モジュール、および、前記接続ユニットに供給し、前記電源入力端子は電源電圧を入力すると共に、前記電源供給ユニット、および、前記接続ユニットに接続して電源を供給するものであり、
前記無線リモコン装置の前記接続ユニットと、接続制御する対象となる電気機器とを接続する手順と、
前記無線リモコン装置を遠隔操作するコントローラを利用して、前記無線リモコン装置と対応する監視コントロールプログラムをダウンロード、ならびに、インストールすることにより、前記コントローラの画面上に操作インターフェースが表示され、前記操作インターフェースは、先ず、対応する無線リモコン装置を検索して、リンクを実行し、前記無線リモコン装置をモニタリング、ならびに、特定して、特定電気機器モジュールを形成し、前記特定電気機器モジュールが接続する電気機器を前記特定電気機器モジュールにより操作し、制御する手順と、
ユーザーが前記コントローラの操作インターフェースにより、前記コントローラから前記リモコン信号を前記無線モジュールに発信して、前記特定電気機器モジュールの制御を実行して前記電気機器の監視及び制御を行う手順と、
を含むことを特徴とする無線リモコン装置による電気機器の制御方法。
【請求項２】
前記無線リモコン装置は本体内に設置され、前記本体は、前記無線モジュール、前記制御モジュール、前記接続ユニット、および、前記電源供給ユニットを一定空間内に固定する殻体で構成され、外部との接触を防止することを特徴とする請求項１に記載の無線リモコン装置による電気機器の制御方法。
【請求項３】
前記無線モジュールは、無線送信／受信ユニット、および、マイクロプロセッサユニットを有し、前記無線送信／受信ユニットと前記マイクロプロセッサユニットは電気的に接続され、前記無線送信／受信ユニットは、リモコン信号を受信すると共に、マイクロプロセッサユニットにより、制御信号に変換することを特徴とする請求項１に記載の無線リモコン装置による電気機器の制御方法。
【請求項４】
前記無線モジュールは、ブルートゥースモジュールであることを特徴とする請求項１に記載の無線リモコン装置による電気機器の制御方法。
【請求項５】
前記制御モジュールは、監視コントロールユニット、制御ユニット、および、保護ユニットを有し、前記監視コントロールユニットは、前記無線リモコン装置の電源供給状況を監視及び制御し、これに呼応してデータ信号を発信し、前記制御ユニットは、制御信号にしたがって、前記接続ユニットの電源供給のオン・オフ制御を行うと共に、前記監視コントロールユニットのデータ信号を受信し、前記マイクロプロセッサユニットにより、データ信号を監視コントロール信号に変換して、前記無線送信／受信ユニットから信号をコントローラに送り返すことにより、電源供給状況を即時に監視及び制御し、前記保護ユニットは、電流の供給を安定させると共に、電子回路を保護することを特徴とする請求項３に記載の無線リモコン装置による電気機器の制御方法。
【請求項６】
前記接続ユニットは、電源ソケットであることを特徴とする請求項１に記載の無線リモコン装置による電気機器の制御方法。
【請求項７】
前記電源供給ユニットは、延長コードで伸ばしてコンセントに接続するか、または、直接、電源コードに接続することを特徴とする請求項１に記載の無線リモコン装置による電気機器の制御方法。
【請求項８】
前記操作インターフェースは連結設定インターフェースを有し、前記連結設定インターフェースは、対応する無線リモコン装置を検索して、リンクを実行し、パスワードを設定することにより、ユーザー以外の人に接続、コントロールされるのを防止することを特徴とする請求項１に記載の無線リモコン装置による電気機器の制御方法。
【請求項９】
前記リンク設定インターフェースは、モジュール切り換え機能を有し、前記モジュール切り換え機能は、同時に、複数の無線リモコン装置がある環境の中において、各無線リモコン装置、および、そのリンクをモニタリング、ならびに、特定して、特定電気機器モジュールを形成し、制御対象とする特定電気機器モジュールを選択、または、増加した後、さらに、前記特定電気機器モジュールが対応する機能インターフェースによって、前記特定電気機器モジュールが接続する電気機器を制御することを特徴とする請求項８に記載の無線リモコン装置による電気機器の制御方法。
【請求項１０】
前記操作インターフェースは、切換機能インターフェースを有し、前記切換機能インターフェースは、電源制御スイッチ、送電効率、および、タイマー機能を有することを特徴とする請求項１に記載の無線リモコン装置による電気機器の制御方法。
【請求項１１】
前記操作インターフェースは監視コントロールインターフェースを有し、前記監視コントロールインターフェースは、前記監視コントロールユニットが送り返す監視コントロール信号を監視、制御、および、調査し、また、異常時に、警告を発信することを特徴とする請求項１に記載の無線リモコン装置による電気機器の制御方法。
【請求項１２】
前記コントローラが前記無線リモコン装置に用いる監視コントロールプログラムをダウンロードする手順と、電気機器の制御や監視をする手順との間に、異なる電気機器モジュールを符号化する手順を加え、複数の無線リモコン装置が存在する場合は、前記コントロール、または、監視プログラムは、異なる無線リモコン装置に対し、異なる符号を設定することを特徴とする請求項１に記載の無線リモコン装置による電気電器の制御方法。
【請求項１３】
無線リモコン装置であって、
リモコン信号を受信すると共に、制御信号に変換する無線モジュールと、
接続ユニットと、
制御信号にしたがって前記接続ユニットの電源供給をオン・オフ制御する制御モジュールと、
プログラムを書き込むことによって、無線リモコン装置中のチッププログラム機能を増加、修正、または、アップグレードさせるメモリユニットと、
電気的に接続され、電気エネルギーを前記無線モジュール、前記制御モジュール、および、前記接続ユニットに供給する電源供給ユニットと、
を有し、
前記無線モジュール、前記制御モジュール、および、前記接続ユニットは電気的に接続され、前記無線モジュールと前記メモリユニットは電気的に接続されることを特徴とする無線リモコン装置。
【請求項１４】
前記無線リモコン装置は本体内に設置され、前記本体は殻体で、前記無線リモコン装置と外部の接触を阻止することを特徴とする請求項１３に記載の無線リモコン装置。
【請求項１５】
前記無線モジュールは、無線送信／受信ユニット、および、マイクロプロセッサユニットを有し、前記無線送信／受信ユニットと前記マイクロプロセッサユニットは電気的に接続され、前記無線送信／受信ユニットは、リモコン信号を受信すると共に、前記マイクロプロセッサユニットによりリモコン信号を制御信号に変換することを特徴とする請求項１３に記載の無線リモコン装置。
【請求項１６】
前記制御モジュールは、監視コントロールユニット、制御ユニット、および、保護ユニットを有し、前記監視コントロールユニットは、前記無線リモコン装置の電源供給状況を監視及び制御すると共に、呼応してデータ信号を発信し、前記制御ユニットは、制御信号にしたがって、前記接続ユニットの電源供給のオン・オフ制御すると共に、前記監視コントロールユニットのデータ信号を受信し、前記マイクロプロセッサユニットにより、データ信号を監視コントロール信号に変換して、前記無線送信／受信ユニットから信号をコントローラに送り返すことにより、電源供給状況を即時に監視及び制御し、前記保護ユニットは、電流の供給を安定させると共に、電子回路を保護することを特徴とする請求項１５に記載の無線リモコン装置。
【請求項１７】
前記制御モジュールは、タイマーユニットを有し、前記制御ユニットと電気的に接続されることを特徴とする請求項１６に記載の無線リモコン装置。
【請求項１８】
前記接続ユニットは、電源ソケットであることを特徴とする請求項１３に記載の無線リモコン装置。
【請求項１９】
前記電源供給ユニットは延長コードで伸ばしてコンセントに接続するか、または、直接、電源コードに接続することを特徴とする請求項１３に記載の無線リモコン装置。
【発明の詳細な説明】
【技術分野】
【０００１】
本発明は、無線リモコン装置による電気機器の制御方法、および、その装置に関するものであって、特に、無線送信技術により、電源供給をコントロールする制御方法とその装置に関するものである。
【背景技術】
【０００２】
科学技術の発展に伴い、各種電気機器製品の使用が頻繁になり、電気機器製品に依存する状況下において、家庭でも会社でも、電気機器製品の電源が常にコンセントに差し込まれたままの状態になっていることで、電気機器製品の不使用時でも電力が断続的に消費されている。
【０００３】
また、このような状態にあることにより消費される電力は、電力使用量の相当な比例を占めている。よって、環境保護機関は、ユーザーに、不使用時にはコンセントを抜いて電力を浪費しないよう提唱しているが、効果には限りがある。これは、ユーザーが日常生活で忙しく、多くの電気機器製品に対し、確実にコンセントを抜くという動作が行えないことが原因である。
【０００４】
現在、多くの電気機器製品にはどれも、タイマースイッチやリモコンスイッチの機能により自動的に電源を切断することが行われているが、その效果は、電気コードを抜いた節電效果ほど良くはない。
【０００５】
また、電気コードプラグとコンセントの間に設置した市販の電源スイッチタイマーについては、確実に電源を切ることができるが、開閉時間の設定が極めて複雑で柔軟性がない。即ち、電源スイッチタイマーをオン、または、オフに設定し、この時間内で電源を切断、または、使用する必要がある時は、電源スイッチタイマーを、電気コードプラグとコンセント間から除去しないと、電源を切断又は使用することはできない。
【０００６】
さらに、このような電源スイッチタイマーは、一つの電源差込口だけしかをコントロールできず、複数のコンセントをコントロールする必要がある場合、大量に購買しなければならず、コストが増加する。
【０００７】
会社や工場等といった大量に電気機器を使用する場所では、電源制御スイッチを使うことにより、使用電力量を節約することができるだけでなく、使用時の安全性の問題にも関わる。電気コード発火の原因は、個別の電気機器がオフの状態であっても電力を消費していることであり、また、電力使用を確実にコントロールしたい場合は、専門の人員により制御しなければならず、労力も時間もかかる。
【発明の概要】
【発明が解決しようとする課題】
【０００８】
本発明は、無線リモコン装置による電気機器の制御方法、および、その装置を提供する。
【課題を解決するための手段】
【０００９】
本発明は、無線リモコン装置による電気機器の制御方法であって、以下の手順を含む。
【００１０】
無線リモコン装置は、無線モジュール、制御モジュール、メモリユニット、接続ユニット、電源供給ユニット、および、電源入力端子を有する。無線モジュール、制御モジュール、および、接続ユニットは電気的に接続され、無線モジュールはメモリユニットと電気的に接続され、無線モジュールはリモコン信号を受信し、制御信号に変換することができる。
【００１１】
制御モジュールは、制御信号にしたがって、接続ユニットの電源供給のオン・オフ制御を行う。
【００１２】
メモリユニットは、プログラムを書き込むことによって、無線リモコン装置中のチッププログラム機能を増加、修正、または、アップグレードさせる。
【００１３】
電源供給ユニットは電気的に接続されると共に、電気エネルギーを無線モジュール、制御モジュール、および、接続ユニットに供給する。
【００１４】
電源入力端子は電源電圧を入力して、電源供給ユニット、および、接続ユニットに接続し、電源を供給する。
【００１５】
無線リモコン装置の接続ユニットと、接続制御する対象となる電気機器とを接続する。
【００１６】
コントローラにより、本発明である無線リモコン装置と対応する監視コントロールプログラムをダウンロード、ならびに、インストールする。コントローラの画面上に操作インターフェースが表示される。
【００１７】
操作インターフェースは、先ず、対応する無線リモコン装置を検索して、リンクを実行し、無線リモコン装置をモニタリングして特定し、特定電気機器モジュールを形成する。さらに、特定電気機器モジュールが接続する電気機器を特定電気機器モジュールにより操作、制御する。
【００１８】
ユーザーが、コントローラの操作インターフェースにより、コントローラからリモコン信号を無線モジュールへ発信させて、特定電気機器モジュールの制御を実行する。
【００１９】
本発明のもうひとつの特徴は、無線リモコン装置であって、
リモコン信号を受信し、制御信号に変換する無線モジュールと、
制御信号にしたがって接続ユニットの電源供給をオン・オフ制御する制御モジュールと、
プログラムを書き込むことによって、無線リモコン装置中のチッププログラム機能を増加、修正、または、アップグレードさせるメモリユニットと、
接続ユニットと、
電気的に接続され、電源を無線モジュール、制御モジュール、および、接続ユニットに供給する電源供給ユニットとを有し、
無線モジュール、制御モジュール、および、接続ユニットは電気的に接続され、無線モジュールは、メモリユニットと電気的に接続される。
【発明の効果】
【００２０】
本発明により、使用者が、直接コントローラを使用してプログラムをダウンロードした後、簡素な装置上で、複数の電気機器を制御し、さらには、複数のモジュール制御を拡充することによってコントロールしやすくして、コスト抑制、および、節エネの効果を達成する。
【図面の簡単な説明】
【００２１】
【図１】本発明の方法の第一実施例のフローチャートである。
【図２】本発明の装置の第一実施例のブロック図である。
【図３】本発明のプログラムを示す図である。
【図４】本発明の方法の第二実施例のフローチャートである。
【図５】本発明の装置の第二実施例のブロック図である。
【発明を実施するための形態】
【００２２】
図１から図３は、本発明の好ましい第一実施例を示す図であって、低コストで、電源が完全に開閉でき、且つ、コントロールしやすいという効果を達成するため、本発明は、以下の手順からなる。
【００２３】
S1.無線リモコン装置１０を提供する。
【００２４】
無線リモコン装置１０は、本体１６に設置され、無線モジュール１１、制御モジュール１２、メモリユニット１３、接続ユニット１４、電源供給ユニット１５、および、電源入力端子１８を有する。
【００２５】
その中、無線モジュール１１、制御モジュール１２、および、接続ユニット１４は、順に電気的に接続され、無線モジュール１１とメモリユニット１３は電気的に接続され、無線モジュール１１は、無線送信／受信ユニット１１１、および、マイクロプロセッサユニット１１２を有する。無線送信／受信ユニット１１１とマイクロプロセッサユニット１１２は電気的に接続される。
【００２６】
本実施例において、無線モジュール１１は、ブルートゥースモジュール、あるいは、WiFi等の無線通信モジュールである。制御モジュール１２は、監視コントロールユニット１２１、制御ユニット１２２、および、保護ユニット１２３を有する。
【００２７】
メモリユニット１３は、プログラムを書き込むことによって、無線リモコン装置１０中のチッププログラムの機能を増加、修正、あるいは、アップグレードさせる。
【００２８】
接続ユニット１４は、本実施例においては、電源ソケットである。無線モジュール１１の無線送信／受信ユニット１１１は、コントローラ２０が発信するリモコン信号を受信すると共に、マイクロプロセッサユニット１１２により、リモコン信号を制御信号に変換することができる。
【００２９】
制御モジュール１２の監視コントロールユニット１２１は、無線リモコン装置１０の電源供給状況を監視及び制御すると共に、これに呼応してデータ信号を発信することができる。
【００３０】
制御ユニット１２２は、制御信号にしたがって接続ユニット１４の電源供給をオン・オフ制御し、また、監視コントロールユニット１２１のデータ信号を受信すると共に、マイクロプロセッサユニット１１２により、データ信号を監視コントロール信号に変換して、無線送信／受信ユニット１１１から信号をコントローラ２０に送り返すことにより、ユーザーは電源供給状況を即時に監視及び制御することができる。
【００３１】
保護ユニット１２３は、電流の供給を安定させ、電子回路を保護する。電源入力端子は、電源を入力すると共に、電源供給ユニット、および、接続ユニットに接続し、電源を供給する。電源供給ユニット１５は、実施例にあるように、延長コードで伸ばしてコンセント１７に接続するか、または、直接、電源入力端子１８に接続することができる。コンセント１７、電源入力端子１８は接続されて、電源供給ユニット１５、および、制御ユニット（制御モジュールのイネーブルユニット）１２２に電力を供給する。
【００３２】
また、電源供給ユニット１５は、再び電気的に接続すると共に、電気エネルギーを無線モジュール１１、制御モジュール１２、および、接続ユニット１４に提供する。本体１６は、主に、無線モジュール１１、制御モジュール１２、接続ユニット１４、および、電源供給ユニット１５からなる装置であって、一定空間内に固定された殻体により外部の接触を防止する。
【００３３】
このほか、制御モジュールは、さらに、タイマーユニット(図示しない）を有し、制御ユニット１２２と電気的に接続することにより、ユーザーのコントローラ２０で時間を設定して、電源を自動でオンオフにすることができる。
【００３４】
S2.無線リモコン装置１０と電気機器３０を接続する。
【００３５】
無線リモコン装置１０の接続ユニット１４と、接続してコントロールする対象となる電気機器３０を接続する。本実施例において、接続ユニット１４は電源ソケットであるので、電気機器３０の電気コードプラグを接続ユニット１４中に挿入することにより、無線リモコン装置１０と電気機器３０の接続が完成する。
【００３６】
S3.コントローラ２０で、無線リモコン装置１０に用いる監視コントロールプログラムをダウンロードする。
【００３７】
コントローラ２０で、本発明の無線リモコン装置１０と対応する監視コントロールプログラムをダウンロード、ならびに、インストールする。監視コントロールプログラムをコントローラ２０にインストールした後、その画面上に操作インターフェース５０が表示される。
【００３８】
操作インターフェース５０は、連結設定インターフェース５１、切換機能インターフェース５２、および、監視コントロールインターフェース５３を有する。先ず、連結設定インターフェース５１で、対応する無線リモコン装置１０を検索して、リンクを実行する。この際、パスワードを設定することにより、ユーザー以外の人にアクセスされたり、制御されるのを防止する。
【００３９】
連結設定インターフェース５１は、さらに、モジュール切り換え機能を有し、モジュール切り換え機能は、同時に、複数の本発明である無線リモコン装置１０がある環境の中において、各無線リモコン装置１０、および、そのリンクをモニタリング、ならびに、特定して、特定電気機器モジュールを形成し、制御する対象となる特定電気機器モジュールを選択、または、増加した後、さらに、特定電気機器モジュールが対応する切換機能インターフェース５２により、特定電気機器モジュールが接続する電気機器を操作、制御する。
【００４０】
切換機能インターフェース５２は、電源制御スイッチ、送電効率、および、タイマー機能を有する。例えば、リンクする電気機器が扇風機である場合、扇風機のスイッチを制御でき、また、時間を設定して、自動で開閉もできる。さらに、リンクする電気機器が電灯である場合は、電灯のスイッチ、および、光量の強弱を制御でき、また、時間を設定して、自動で開閉もできる。
【００４１】
監視コントロールインターフェース５３は、監視コントロールユニット１２１が送り返す監視コントロール信号を監視、制御し、および、検査することができる。即ち、即時に、電気機器３０に異常がないかを発見することができる。例えば、オーバーロードや電力不足等の場合、監視コントロールインターフェース５３は、電気機器３０の異常時に警告を発して、使用者に異常を知らせ、即時に、問題を処理して、災害の発生を防止することができる。本発明中のコントローラ２０は、携帯電話、無線送信機能を有する計算機または、リモコン装置等のアプリケーションとなる。
【００４２】
S4.電気機器を監視及び制御する。
【００４３】
ユーザーは、コントローラ２０でダウンロード、インストールした操作インターフェース５０を通じて、コントローラ２０からリモコン信号を無線モジュール１１へ発信させて、特定電気機器モジュールを制御及び監視する。一方、遠隔コントロールが可能で、且つ、電力を消費するスイッチ電源は必要なく、電気コードプラグを抜く必要もない。電気機器製品が提供するリモコンであっても制御を行うことができ、また、多種の電気機器に対し、それぞれに対応した制御を行うこともできる。さらには、複数の特定制御の電気機器モジュール、および、電気機器３０のコントロールや選択を快速、便利なものとする。
【００４４】
図４と図５の本発明の第二実施例の工程は、S3とS4の工程間に、さらに一個の工程を増加するものである。
【００４５】
S4'.異なる電気機器モジュールを符号化する。
【００４６】
複数の本発明である無線リモコン装置１０が存在する時、監視コントロールプログラムが異なる無線リモコン装置１０に対し、異なる符号を設定することにより、異なる無線リモコン装置１０の特定電気機器モジュールは、各々の符号を有することになることから、使用時、混乱して、誤制御が発生することがない。
【００４７】
総合すると、本発明は、前述の設計により、使用者が、直接、使用するコントローラでプログラムをダウンロード後、簡素な装置上で、複数の電気機器を制御し、さらには、複数のモジュール制御を拡充することにより、制御しやすくなり、且つ、コスト抑制、および、節エネの効果を達成する。
【００４８】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４９】
10無線リモコン装置
11無線モジュール
111無線送信／受信ユニット
112マイクロプロセッサユニット
12制御モジュール
121監視コントロールユニット
122制御ユニット
123保護ユニット
13メモリユニット
14接続ユニット
15電源供給ユニット
16本体
17コンセント
18電源入力端子
20コントローラ
30電気機器
50操作インターフェース
51連結設定インターフェース
52切換機能インターフェース
53監視コントロールインターフェース
【図１】
2016529746.tif 000003
【図２】
2016529746.tif 000004
【図３】
2016529746.tif 000005
【図４】
2016529746.tif 000006
【図５】
2016529746.tif 000007
【国際調査報告】
2016529746.tif 000008
2016529746.tif 000009
2016529746.tif 000010
2016529746.tif 000011